(57)【特許請求の範囲】
【請求項１】
少なくとも一層が合成繊維製布帛からなり、かつ、
（ａ）引張り強さが１０ｋＮ乃至５０ｋＮ／ｍであり、
（ｂ）前記合成繊維製布帛を構成する合成繊維糸の繊度が２００乃至１１００ｄｔｅｘであり、
（ｃ）前記合成繊維製布帛を構成する合成繊維糸の打ち込み密度が、１０乃至３０本／インチである条件を満足してなる防水シートを地下構造物底盤部に敷設し、
（ｄ）更に、前記地下構造物底盤部に敷設した、前記防水シート上に直接打設される均しコンクリートを有する防水シートを均しコンクリートの上面より出るように採寸、敷設し、壁側とシーリングするように、前記防水シート上に直接均しコンクリートを打設することを特徴とする地下構造物底盤部防水処理方法。
【請求項２】
請求項１記載の地下構造物底盤部防水処理方法において、前記防水シートの少なくとも片面の表層樹脂が、酢酸ビニル８０乃至９９質量％のエチレン−酢酸ビニル共重合樹脂（Ａ）および酢酸ビニル含有量５０乃至７５質量％のエチレン−酢酸ビニル共重合樹脂（Ｂ）からなり、その配合比（質量比）Ａ／Ｂが０．２乃至５であることを特徴とする地下構造物底盤部防水処理方法。
【請求項３】
栗石の表面部に目潰し砂を敷いた地下構造物底盤部に、少なくとも一層が合成繊維製布帛からなり、かつ、引張り強さが１０ｋＮ乃至５０ｋＮ／ｍであり、前記合成繊維製布帛を構成する合成繊維糸の繊度が２００乃至１１００ｄｔｅｘであり、前記合成繊維製布帛を構成する合成繊維糸の打ち込み密度が、１０乃至３０本／インチである条件を満足してなる防水シートを敷設し、更に、前記防水シート上に直接打設される均しコンクリートを有することを特徴とする地下構造物底盤部構造物。
【請求項４】
請求項３記載の地下構造物底盤部構造物において、側壁上には防水側壁シートを配置し、該防水側壁シートの先端と前記防水シートの先端とをシーリングすることを特徴とする地下構造物底盤部構造物。
【請求項５】
請求項３記載の地下構造物底盤部構造物において、前記防水シートの少なくとも片面の表層樹脂が、酢酸ビニル８０乃至９９質量％のエチレン−酢酸ビニル共重合樹脂（Ａ）および酢酸ビニル含有量５０乃至７５質量％のエチレン−酢酸ビニル共重合樹脂（Ｂ）からなり、その配合比（質量比）Ａ／Ｂが０．２乃至５であることを特徴とする地下構造物底盤部構造物。
【発明の詳細な説明】
【０００１】
【発明の属する技術分野】
本発明は、開削トンネル等、地下構造物の底盤部位に対する簡略な防水施工処理方法に係り、特に、防水シートを栗石等からなる底部に敷設し、その上に均しコンクリートを直接打設する地下構造物底盤部防水処理方法及び地下構造物底盤部構造物に関するものである。
【０００２】
【従来の技術】
本来、例えば開削トンネル底盤部の防水処理方法としては、栗石、砂等からなる底部地盤層に、直接防水シートを敷設し、均しコンクリートを打設施工することが施工工程面、施工コスト面から好ましい。
【０００３】
しかし、従来は、開削トンネル先防水工法等による地下構造物・底盤部の防水処理方法は、以下に示すような工法により行われていた。
【０００４】
図２はかかる従来の開削トンネル底盤部防水処理方法の説明図である。
【０００５】
この図において、１０１はソイルセメント壁、１０２は栗石（砕石）、１０３はその目潰し（砂）、１０４は約１０ｃｍの均しコンクリート、１０５は底部防水シート、１０６は約３ｃｍの保護モルタル、１０７はシーリング部、１０８は側壁シートである。
【０００６】
図２に示すように、従来の底盤部防水処理方法では、約１０ｃｍ厚さの均しコンクリート１０４を打設した後に、底部防水シート１０５を敷設し、その上に約３ｃｍの保護モルタル１０６を打設し、ソイルセメント壁１０１には側壁シート１０８を配置してシーリングした後、さらにその上部に鉄筋を組んで、コンクリート躯体を打設するという、複雑な工程による施工方法が採用されている。
【０００７】
【発明が解決しようとする課題】
しかしながら、上記した従来の工法は、経済性および工期面から理想と異なっている。このような複雑な施工をせざるを得ない理由は、栗石、砂等からなる底部地盤層に直接、底部シートを敷設した後に均しコンクリートを打設する場合、その作業時に、作業員が直接防水シートを乱雑に踏みながら均しコンクリート打設作業を実施することになり、この際、底部シートが底盤部の栗石と挟まれ、容易にシート破損が生じることになり、目的とする良好な防水が得られなくなる。このため、上記のような複雑で不経済な施工を採用しているのが実状である。
【０００８】
また、かかる従来法には、防水面でも重大な問題、すなわち、打設した保護モルタルと後から次に打設したコンクリート躯体間は完全一体化がなされないため、わずかな防水施工面の欠陥があればその界面を水が走るという、地下構造物の水密性を損なう大きな問題を有している。
【０００９】
本発明は、上記状況を鑑みて、合成繊維からなる布帛で補強された防水シートを用いることにより、乱雑な作業工程にも傷つき難く、栗石等からなる底盤層に直接防水シートを敷設し、直接、均しコンクリートを打設し得る地下構造物底盤部防水処理方法及びその底盤部構造物を提供することを目的とする。
【００１０】
なお、ここで地下構造物とは、開削トンネル、地下駅、線路下横断構造物、Ｕ型擁壁など、地盤中に構築される構造物をいう。これらの構造物では、施工後に地下水による漏れが問題となるため、一般的に防水工を施工する。
【００１１】
【課題を解決するための手段】
〔１〕地下構造物底盤部防水処理方法において、少なくとも一層が合成繊維製布帛からなり、かつ、引張り強さが１０ｋＮ乃至５０ｋＮ／ｍであり、前記合成繊維製布帛を構成する合成繊維糸の繊度が２００乃至１１００ｄｔｅｘであり、前記合成繊維製布帛を構成する合成繊維糸の打ち込み密度が、１０乃至３０本／インチであることを満足してなる防水シートを地下構造物底盤部に敷設し、更に、前記地下構造物底盤部に敷設した、前記防水シート上に直接打設される均しコンクリートを有する防水シートを均しコンクリートの上面より出るように採寸、敷設し、壁側とシーリングするように、前記防水シート上に直接均しコンクリートを打設することを特徴とする。
【００１２】
〔２〕上記〔１〕記載の地下構造物底盤部防水処理方法において、前記防水シートの少なくとも片面の表層樹脂が、酢酸ビニル８０乃至９９質量％のエチレン−酢酸ビニル共重合樹脂（Ａ）および酢酸ビニル含有量５０乃至７５質量％のエチレン−酢酸ビニル共重合樹脂（Ｂ）からなり、そのを配合比（質量比）Ａ／Ｂが０．２乃至５であることを特徴とする。
【００１３】
〔３〕地下構造物底盤部構造物において、栗石の表面部に目潰し砂を敷いた地下構造物底盤部に、少なくとも一層が合成繊維製布帛からなり、かつ、引張り強さが１０ｋＮ乃至５０ｋＮ／ｍであり、前記合成繊維製布帛を構成する合成繊維糸の繊度が２００乃至１１００ｄｔｅｘであり、前記合成繊維製布帛を構成する合成繊維糸の打ち込み密度が、１０乃至３０本／インチである条件を満足してなる防水シートを敷設し、更に、前記防水シート上に直接打設される均しコンクリートを有することを特徴とする。
【００１４】
〔４〕上記〔３〕記載の地下構造物底盤部構造物において、側壁上には防水側壁シートを配置し、この防水側壁シートの先端と前記防水シートの先端とをシーリングすることを特徴とする。
【００１５】
〔５〕上記〔３〕記載の地下構造物底盤部構造物において、前記防水シートの少なくとも片面の表層樹脂が、酢酸ビニル８０乃至９９質量％のエチレン−酢酸ビニル共重合樹脂（Ａ）および酢酸ビニル含有量５０乃至７５質量％のエチレン−酢酸ビニル共重合樹脂（Ｂ）からなり、その配合比（質量比）Ａ／Ｂが０．２乃至５であることを特徴とする。
【００１６】
【発明の実施の形態】
以下、本発明の実施の形態について、詳細に説明する。
【００１７】
ここで、本発明の布帛は、それを構成する合成繊維糸の繊度が２００〜１１００ｄｔｅｘ、打込み密度１０〜３０本／インチ、かつ、防水シートの引張り強さが１０〜５０ｋＮ／ｍである必要性がある。繊度が２００ｄｔｅｘ未満、打込み密度１０本／インチ未満および防水シートの引張り強さが１０ｋＮ／ｍ以下では、栗石等の底盤材からのシート保護力が劣り、シート敷設後の周辺施工工事時にシート損傷の危険性が増大するために好ましくない。
【００１８】
逆に、繊度が１１００ｄｔｅｘ、打込み密度３０本／インチおよびシート引張り強さ５０ｋＮ／ｍを越えるとシート損傷抵抗性の面から、その必要性が薄れ、いたずらにシートの材料コストが嵩むのみであるため、上記の範囲が好ましい。
【００１９】
この布帛を構成する合成繊維糸は、その素材等に制約の必要がなく、例えば、ポリエステル系、ポリビニルアルコール系、ポリアミド系、ポリオレフィン系等が使用可能である。また、その合成繊維糸のタイプは、同様に制約の必要はなく、例えば、モノフィラメント、マルチフィラメント、紡績糸が適用可能であり、特に、その強度面からマルチフィラメントでなる場合がより好ましい。
【００２０】
さらに、本発明の防水シートの少なくとも片面の表層樹脂は、酢酸ビニル８０〜９９質量％のエチレン−酢酸ビニル共重合樹脂（Ａ）および酢酸ビニル含有量５０〜７５質量％のエチレン−酢酸ビニル共重合樹脂（Ｂ）からなり、その配合比（質量比）Ａ／Ｂが０．２〜５で構成される場合が、コンクリート打設後の硬化過程で強固にコンクリート躯体と接着し、シート／コンクリート躯体間の通水を阻止するため、万一、防水シートの一部に損傷が生じても、高度な防水性を確保する。このため、特に本発明の効果を高めるという点でより好ましい。
【００２１】
図１は本発明の実施例を示す開削トンネルなどの地下構造物底盤部防水処理方法の説明図である。
【００２２】
この図において、１はソイルセメント壁、２は栗石（砕石）、３はその目潰し（砂）、４は底部防水シート、５は側壁シート、６はシーリング、７は約１０ｃｍの均しコンクリートである。
【００２３】
かかる防水シートを用いることにより、図１に示すように、地下構造物底盤部に保護モルタル等の保護層を設けることなく、栗石等が敷き詰められた底面に直接底部防水シート４を敷設し、均しコンクリート７を打設し、高度な遮水防水性を付与することができる。
【００２４】
また、図１に示すように、敷設する底部防水シート４を均しコンクリート７の上面より出るように採寸、敷設し、側壁シート５とコーキング材等で水密処理（シーリング６）して開削トンネル等の地下構造物に高度な遮水防水性を付与することができる。
【００２５】
（実施例、比較例）
エチレン−酢酸ビニル共重合体（大日本インキ株式会社製「エバスレン４２０Ｐ」；酢酸ビニル含有率６０質量％；ＭＦＩ＝１５ｇ／１０分；１９０℃、１０ｋｇ荷重）１００質量部に、炭酸カルシウム１０質量部およびアマイド系滑剤（堺化学工業株式会社製「ＬＢＴ−１００」）１質量部を加え、カレンダーロールにて１３０℃で混練して、厚さ０．５ｍｍのエチレン−酢酸ビニル共重合体シートを製造した。このシート２枚の間にポリエステルフィラメント糸製の平織物（５５０ｄｔｅｘポリエステルフィラメント、打込み密度タテ１９本／インチ、ヨコ２０本／インチ）を挿入、１３０℃でラミネート加工により基材シートを生産した。
【００２６】
さらに、酢酸ビニル含有量が９０質量％（エチレン含有量１０質量％）であるエチレン−酢酸ビニル共重合体を主体とする水性エマルジョンＡ（株式会社クラレ製「パンフレックスＯＭ−６０００」；濃度５０質量％）と、酢酸ビニル含有量が６５質量％（エチレン含有量３５質量％）であるエチレン−酢酸ビニル共重合体を主体とする水性エマルジョンＢ（株式会社クラレ製「パンフレックスＯＭ−２０００」；濃度５０質量％）を１：１の質量比で混合した水性樹脂混合物（エマルジョン）を前記基材シート片側全面に、２００ｇ／ｍ2 を塗工したのち、１２０℃で乾燥、１８０℃で熱処理して、エチレン−酢酸ビニル共重合体（Ａ）とエチレン−酢酸ビニル共重合体（Ｂ）からなるエチレン−酢酸ビニル共重合体組成物の塗布量が１００ｇ／ｍ2 （乾燥時）である土木用遮水シートを作成した。
【００２７】
さらに、ほぼ水平に厚さ約２０ｃｍに敷き詰めた栗石の上層に砂で撒いて目潰し処理した上面に体重７０ｋｇの作業員部が上記防水シートを敷設した。さらに、その上から、５０ｃｍ厚さのコンクリート打設時の押圧を想定して１ｔ／ｍ2 を乗せて、４週間放置した。その後、荷重を取り除いて防水シートの損傷状況を目視観察したところ、シートの破れ、穴開きがない良好な状態を保持していた。
【００２８】
一方、比較例として、上記の土木用遮水シート作製において、繊維布帛を用いない防水シートを別途作製し、同様な試験を実施したが、栗石との接点において、多数の穴開きが観察された。
【００２９】
本発明によれば、従来技術に比して簡略で、また、従来技術の防水面での欠陥がないため、大幅な施工費用の節減と防水性の向上が達成可能となる。
【００３０】
これにより、大幅な工程削減および施工コストの低減、また、地下構造物の水密性も向上し得るために、開削トンネルの底盤部位用、ビル地下部の底盤部位用の防水シート施工に利用可能である。
【００３１】
なお、本発明は上記実施例に限定されるものではなく、本発明の趣旨に基づいて種々の変形が可能であり、それらを本発明の範囲から排除するものではない。
【００３２】
【発明の効果】
以上、詳細に説明したように、本発明によれば、以下のような効果を奏することができる。
【００３３】
（Ａ）合成繊維からなる布帛で補強された防水シートを用いることにより、乱雑な作業工程にも傷つき難く、栗石等からなる底盤層に防水シートを敷設し、直接、均しコンクリートを打設することができる。
【００３４】
（Ｂ）大幅な工程削減および施工コストの低減、また、地下構造物の水密性も向上し得るために、開削トンネルの底盤部位用、ビル地下部の底盤部位用の防水シート施工に好適である。
【図面の簡単な説明】
【図１】本発明の実施例を示す開削トンネルなどの地下構造物底盤部防水処理方法の説明図である。
【図２】従来の開削トンネル底盤部防水処理方法の説明図である。
【符号の説明】
１    ソイルセメント壁
２    栗石（砕石）
３    目潰し（砂）
４    底部防水シート
５    側壁シート
６    シーリング
７    均しコンクリート
【図１】
0003916890.tif 000002
【図２】
0003916890.tif 000003